(57)【要約】【課題】本体の両側面と下面に形成された各吐出口から吐出される空気を導き、各吐出口から吐出される空気の風量を制御できる吐出ガイド装置を備えた空気調和機を提供すること。【解決手段】本体内部の下部左右側に設置されて、下面吐出口から吐出される空気を導く第１ガイド部材と、第１ガイド部材から移動可能に設けられて吐出口の有効面積を調節する第２ガイド部材と、第２ガイド部材を昇降可能にする昇降ユニットと、を備える吐出ガイド装置を備えた空気調和機を提供する。したがって、昇降ユニットによって昇降する第２ガイド部材の位置によって、各吐出口の吐出有効面積を調節することができる。【選択図】図２
2008122054.tif 000002
【特許請求の範囲】
【請求項１】
前面が開放され、吐出口が設けられたキャビネットと、
前記キャビネットの前面に結合される前面パネルと、
前記キャビネットと前記前面パネルとの間に設置される熱交換器と、
前記熱交換器と前記キャビネットとの間に設置され、前記キャビネット内側の左右に配置される送風ファンと、
前記キャビネットに設けられて、前記送風ファンの回転時に前記吐出口から吐出される空気を導くように、第１ガイド部材と、該第１ガイド部材から前記吐出口側に移動可能に設けられて前記吐出口の有効面積を調節する第２ガイド部材とからなる吐出ガイド装置と、を備えることを特徴とする空気調和機。
【請求項２】
前記吐出口は、前記キャビネットの両側面に形成される左及び右側面吐出口と、下面に形成される下面吐出口とを備えることを特徴とする、請求項１に記載の空気調和機。
【請求項３】
前記第１ガイド部材は、前記送風ファンの下部左右側に設置され、
前記第２ガイド部材は、前記第１ガイド部材の内部に設けられたことを特徴とする、請求項２に記載の空気調和機。
【請求項４】
前記第１ガイド部材の上面には、前記第２ガイド部材が前記第１ガイド部材の内部から前記第１ガイド部材の上側に昇降可能なように通穴が形成されたことを特徴とする、請求項３に記載の空気調和機。
【請求項５】
前記吐出ガイド装置は、前記第２ガイド部材を前記吐出口側に昇降させるための昇降ユニットをさらに備えることを特徴とする、請求項４に記載の空気調和機。
【請求項６】
前記昇降ユニットは、前記第２ガイド部材の下側に連結されて前記第２ガイド部材を昇降させる油圧または空圧シリンダーであることを特徴とする、請求項５に記載の空気調和機。
【請求項７】
前記昇降ユニットは、
前記第２ガイド部材の下部一側に形成されるラックギアと、
前記ラックギアに噛合うピニオンギアと、
前記ピニオンギアと連結されて該ピニオンギアを回転させる回転モーターと、からなることを特徴とする、請求項５に記載の空気調和機。
【請求項８】
前記第１ガイド部材と前記第２ガイド部材には、前記送風ファンの回転時に前記下面吐出口から吐出される空気を導くための傾斜面がそれぞれ形成され、
前記第２ガイド部材の傾斜面は、前記第１ガイド部材の傾斜面から延長して設けられたことを特徴とする、請求項２に記載の空気調和機。
【請求項９】
前記吐出ガイド装置には、前記送風ファンの上側に設けられて、前記送風ファンの回転時に前記左及び右側面吐出口に空気を導く第３ガイド部材がさらに備えられることを特徴とする、請求項２に記載の空気調和機。
【請求項１０】
空気調和機の本体の両側面に形成された左及び右側面吐出口と下面に形成された下面吐出口から吐出される空気を導くための吐出ガイド装置であって、
前記吐出ガイド装置は、
前記本体内部の下部左右側に設置される第１ガイド部材と、
前記第１ガイド部材から前記吐出口側に移動可能に設けられて、前記各吐出口の有効面積を調節する第２ガイド部材と、を備えることを特徴とする吐出ガイド装置。
【請求項１１】
前記第１ガイド部材の内部には、前記第２ガイド部材を昇降させるための昇降ユニットが設けられたことを特徴とする、請求項１０に記載の吐出ガイド装置。
【請求項１２】
前記第１ガイド部材の上面には、前記第２ガイド部材が前記第１ガイド部材の上側方向に昇降可能なように通穴が形成されたことを特徴とする、請求項１１に記載の吐出ガイド装置。
【請求項１３】
前記昇降ユニットは、前記第２ガイド部材の下側に連結されて前記第２ガイド部材を昇降させる油圧または空圧シリンダーであることを特徴とする、請求項１１に記載の吐出ガイド装置。
【請求項１４】
前記昇降ユニットは、
前記第２ガイド部材の下部一側に形成されるラックギアと、
前記ラックギアに噛合うピニオンギアと、
前記ピニオンギアと連結されて該ピニオンギアを回転させる回転モーターと、からなることを特徴とする、請求項１１に記載の吐出ガイド装置。
【請求項１５】
前記第１ガイド部材と前記第２ガイド部材には、前記下面吐出口から吐出される空気を導くための傾斜面がそれぞれ形成され、
前記第２ガイド部材の傾斜面は、前記第１ガイド部材の傾斜面から延長して設けられたことを特徴とする、請求項１０に記載の吐出ガイド装置。
【請求項１６】
前記本体内部の上部には、前記左及び右側面吐出口に空気を導く第３ガイド部材がさらに備えられたことを特徴とする、請求項１０に記載の吐出ガイド装置。
【発明の詳細な説明】
【技術分野】
【０００１】
本発明は、空気調和機に係り、より詳細には、本体に備えられる吐出口に空気を導く吐出ガイド装置が備えられた空気調和機に関する。
【背景技術】
【０００２】
一般に、空気調和機は、圧縮器、凝縮器、膨脹弁及び蒸発器が冷媒管で連結されて閉回路を形成する冷凍サイクルにおいて、冷媒が気化または液化する際に発生する気化熱及び液化熱を用いて室内を冷房または暖房する装置のことをいう。
【０００３】
かかる空気調和機の一つとして、圧縮器と凝縮器などを備え、室外に設置される室外機と、蒸発器などを備え、室内に設置される室内機とで構成される分離型空気調和機がある。
【０００４】
この分離型タイプの空気調和機は再び、床に置かれる床置き型と、室内の壁に取り付けられる壁掛け型とに区分されるが、壁掛け型空気調和機には、ターボファンを組み込んでキャビネットの厚さを最小化した額縁タイプのものがある。
【０００５】
このような額縁タイプの空気調和機として、キャビネットと、このキャビネットの前面に結合される前面パネルによって外観を形成する本体が備えられ、該本体の内部には熱交換器とターボファンが設けられ、この本体の下面と両側面には、熱交換された空気を吐出すための吐出口が設けられたものが開示されたことがある（例えば、特許文献１）。
【０００６】
一方、上記のような従来の空気調和機では、ターボファンの回転によって、本体の両側面に形成された吐出口から吐出される風量が、本体の下面に形成された吐出口から吐出される風量よりも多くなる。
【特許文献１】大韓民国登録特許公報１０−０５１７６２５号
【０００７】
しかしながら、従来の空気調和機では、使用者の要求に応じて、本体の下面に形成された吐出口から相対的に多い風量を吐出させなければならない場合があるにもかかわらず、従来の構造では本体に形成された各吐出口の有効面積を調節し難いため、各吐出口から吐出される風量を容易に制御できないという問題点があった。
【発明の開示】
【発明が解決しようとする課題】
【０００８】
本発明は上記の問題点を解決するためのもので、その目的は、使用者の要求に応じて各吐出口の有効面積を調節しうる吐出ガイド装置とこれを備えた空気調和機を提供することにある。
【課題を解決するための手段】
【０００９】
上記目的を達成するために、本発明に係る空気調和機は、前面が開放され、吐出口が設けられたキャビネットと、前記キャビネットの前面に結合される前面パネルと、前記キャビネットと前記前面パネルとの間に設置される熱交換器と、前記熱交換器と前記キャビネットとの間に設置され、前記キャビネット内側の左右に配置される送風ファンと、
前記キャビネットに設けられて、前記送風ファンの回転時に前記吐出口から吐出される空気を導くように、第１ガイド部材と、該第１ガイド部材から前記吐出口側に移動可能に設けられて前記吐出口の有効面積を調節する第２ガイド部材とからなる吐出ガイド装置と、を備えることを特徴とする。
【００１０】
前記吐出口は、前記キャビネットの両側面に形成される左及び右側面吐出口と、下面に形成される下面吐出口と、を備えることを特徴とする。
【００１１】
前記第１ガイド部材は、前記送風ファンの下部左右側に設置され、前記第２ガイド部材は、前記第１ガイド部材の上側方向に昇降可能なように設けられたことを特徴とする。
【００１２】
前記吐出ガイド装置は、前記第２ガイド部材を昇降させるために、前記第１ガイド部材の内部に設けられた昇降ユニットをさらに備えることを特徴とする。
【００１３】
前記第１ガイド部材の上面には、前記第２ガイド部材が前記第１ガイド部材の上側方向に昇降可能なように通穴が形成されたことを特徴とする。
【００１４】
前記昇降ユニットは、前記第２ガイド部材の下側に連結されて前記第２ガイド部材を昇降させる油圧または空圧シリンダーであることを特徴とする。
【００１５】
前記昇降ユニットは、前記第２ガイド部材の下部一側に形成されるラックギアと、前記ラックギアに噛合うピニオンギアと、前記ピニオンギアと連結されて該ピニオンギアを回転させる回転モーターと、からなることを特徴とする。
【００１６】
前記第１ガイド部材と前記第２ガイド部材には、前記送風ファンの回転時に前記下面吐出口から吐出される空気を導くための傾斜面がそれぞれ形成され、前記第２ガイド部材の傾斜面は、前記第１ガイド部材の傾斜面に続くように設けられたことを特徴とする。
【００１７】
前記吐出ガイド装置には、前記送風ファンの上側に設けられて、前記送風ファンの回転時に前記左及び右側面吐出口に空気を導く第３ガイド部材がさらに備えられることを特徴とする。
【００１８】
なお、上記目的を達成するために、本発明に係る吐出ガイド装置は、空気調和機の本体の左及び右側面と下面にそれぞれ形成された吐出口から吐出される空気を導くように、前記本体内部の下部左右側に設置される第１ガイド部材と、前記第１ガイド部材から延長可能に設けられて前記各吐出口の有効面積を調節する第２ガイド部材と、を備えることを特徴とする。
【発明の効果】
【００１９】
本発明に係る吐出ガイド装置とこれを備えた空気調和機によれば、第１ガイド部材の内部に配置された第２ガイド部材が昇降可能に設けられるため、キャビネットに形成された吐出口の有効面積を調節することが可能になる。
【発明を実施するための最良の形態】
【００２０】
以下、本発明の好適な実施例について、添付の図面を参照しつつ詳細に説明する。
【００２１】
図１及び図２を参照すると、本発明に係る空気調和機は、建物の壁に固定され、その前面が開放されたキャビネット１１と、開放されたキャビネット１１の前面に結合される前面パネル１２と、からなる本体１０を備える。
【００２２】
このような本体１０の前面パネル１２には、本体１０の内部へ室内空気を吸入するための吸入口（図示せず）が形成され、この前面パネル１２の内側には、吸入口から吸入される空気中の異物をろ過するフィルター（図示せず）が備えられる。
【００２３】
本体１０のキャビネット１１には、熱交換された空気を室内に吐出させるための吐出口が形成される。この吐出口は、キャビネット１１の両側面にキャビネット１１の縦方向に長く形成される左及び右側面吐出口１６と、キャビネット１１の下面にキャビネット１１の横方向に長く形成される下面吐出口１７と、からなる。そして、各吐出口１６、１７には、各吐出口１６、１７を開閉するためのブレード１８がそれぞれ取り付けられる。
【００２４】
本体１０の内部、すなわち、前面パネル１２とキャビネット１１との間には熱交換器２１が設けられる。この熱交換器２１は、吸入口から吸入された空気を熱交換するように横方向に長く形成される。また、熱交換器２１は連結部材２２を有し、この連結部材を介して本体１０の内部に固定される。
【００２５】
熱交換器２１とキャビネット１１との間には、熱交換器２１を通って熱交換された空気を、各吐出口１６、１７から吐出させるための送風装置２５が設けられる。この送風装置２５は、キャビネット１１の内側左右にそれぞれ設置される２つの送風ファン、すなわち、ターボファン２６と、各ターボファン２６を駆動するようにターボファン２６と連結される駆動モーター２７と、を備える。ここで、各ターボファン２６はそれぞれ異なる方向に回転する。例えば、右側のターボファンが時計回り方向に回転すると、左側のターボファンは反時計回り方向に回転する。また、各ターボファン２６の間には、ターボファン２６を通って吐出される空気が互いに通じるのを防ぐ隔壁２３が設けられる。
【００２６】
一方、図３に示すように、本発明の空気調和機には、送風装置２５、すなわち、ターボファン２６を通って各吐出口１６、１７から吐出される空気を導き、また、下面吐出口１７から吐出される空気の風量を制御するように各吐出口１６、１７の有効面積を調節する吐出ガイド装置３０が設けられる。
【００２７】
吐出ガイド装置３０は、ターボファン２６の下部左及び右側にそれぞれ設置される第１ガイド部材３１と、各第１ガイド部材３１の内部に設置される第２ガイド部材３３と、各ターボファン２６の上側に設置される第３ガイド部材３５と、第２ガイド部材３３を昇降させる昇降ユニット４１と、を備える。
【００２８】
第１ガイド部材３１は、上述したように、ターボファン２６の下部左及び右側に設置され、ターボファン２６の回転時に下面吐出口１７に空気を導く役割を担う。このため、第１ガイド部材３１には、下面吐出口１７に空気を導くように、ターボファン２６の中心側に傾いて下降する傾斜面３１ａが形成される。
【００２９】
第２ガイド部材３３は、上述したように、第１ガイド部材３１の内部に設置される。各第２ガイド部材３１は、一定部分が第１ガイド部材３１の上側に突出され、第１ガイド部材３１の上側方向に昇降可能なように設けられる。また、このように第２ガイド部材３３が設置されるように、第１ガイド部材３１の上面には通穴３２が形成されることが好ましい。
【００３０】
ここで、第２ガイド部材３３には、第１ガイド部材３１と同様に、下面吐出口１７に空気を導くように傾斜面３３ａが形成され、この第２ガイド部材の傾斜面３３ａは、第１ガイド部材の傾斜面３１ａと連続する面となるように、すなわち、延長されるように形成される。このように、第２ガイド部材の傾斜面３３ａを第１ガイド部材の傾斜面３１ａと連続する面にすることによって、下面吐出口１７に空気を導くと同時に、第２ガイド部材の傾斜面３３ａに沿って導かれる空気が、第１ガイド部材３１の内部に流入することを防止することができる。また、第２ガイド部材３３の一側には、この第２ガイド部材３３が一定部分を越えて第１ガイド部材３１の上側に上昇するのを制限するように係止突起（図示せず）が設けられても良い。
【００３１】
昇降ユニット４１は、上述したように、第１ガイド部材３１の内部に設置されて、第２ガイド部材３３を昇降させる役割を担う。この昇降ユニット４１は、図４に示すように、第２ガイド部材３３の下側に連結されてこの第２ガイド部材３３を昇降させるシリンダー４２からなることができる。ここで、シリンダー４２は、油圧または空圧シリンダーとすることができる。
【００３２】
すなわち、第２ガイド部材３３は、シリンダー４２のピストン４３と連結され、このピストン４３の昇降によって第１ガイド部材３１の上側方向に昇降するものである。
【００３３】
また、昇降ユニット４１は、図５に示すように、第２ガイド部材３３の下部一側に延びたリブ５１の一側に形成されたラックギア５２と、リブ５１に形成されたラックギア５２に噛合うピニオンギア５３と、ピニオンギア５３と連結されてこのピニオンギア５３を回転させる回転モーター５４と、からなっても良い。
【００３４】
すなわち、このように構成される昇降ユニット４１は、回転モーター５４の回転によってピニオンギア５３が回転し、ピニオンギア５３の回転と共にこのピニオンギア５３と噛合うラックギア５２が回転することによって、第２ガイド部材３３が第１ガイド部材３１の上側方向に昇降する。
【００３５】
第３ガイド部材３５は、上述したように、ターボファン２６の上側に設置され、ターボファン２６の回転時に左及び右側面吐出口１６から吐出される空気を導く役割を担う。この場合、第３ガイド部材３５は、各ターボファン２６によって吐出される空気の流路抵抗を減らすために、各ターボファン２６の周り部分と一定の間隔を保って曲面状に形成されることが好ましい。
【００３６】
以下、本発明による吐出ガイド装置とこれを備えた空気調和機の動作について説明する。
【００３７】
まず、本発明による空気調和機は、送風装置２５に備えられる駆動モーター２７の動作によってターボファン２６が回転することによって、前面パネル１２の吸入口（図示せず）から本体１０の内部に室内空気が吸入される。
【００３８】
このようにして本体１０の内部に吸入された空気は、熱交換器２１とターボファン２６を通過した後、吐出ガイド装置３０に導かれてキャビネット１１の両側面と下面に形成された吐出口１６，１７から室内に再び供給される。
【００３９】
すなわち、上記の過程で、ターボファン２６の回転によってターボファン２６を通過した空気はまず、ターボファン２６の上側に設置された第３ガイド部材３５の曲面に沿って導かれて一部がキャビネット１１の左及び右側面吐出口１６から吐出される。
【００４０】
そして、キャビネット１１の左及び右側面吐出口１６から吐出されずに本体１０に残っている空気は、第１ガイド部材３１と第２ガイド部材３３の傾斜面３１ａ、３３ａに沿って導かれてキャビネット１１の下面吐出口１７から吐出される。
【００４１】
一方、本発明では、各吐出口１６、１７から空気を吐出す上記の過程で、左及び右側面吐出口１６と下面吐出口１７の吐出有効面積を使用者の要求に応じて調節できる。これは、第２ガイド部材３３を昇降ユニット４１によって昇降させることによって可能になる。
【００４２】
例えば、図４及び図５に示すように、第２ガイド部材３３が昇降ユニット４１によって第１ガイド部材３１の上側方向に上昇すると、キャビネット１１の下面吐出口１７の有効面積が拡大される。具体的に、第２ガイド部材３３が第１ガイド部材３１の上側に上昇すると、左及び右側面吐出口１６、１７に吐出される空気の一部が、第２ガイド部材の傾斜面３３ａに沿って導かれることによって、下面吐出口１７から吐出される空気の風量が増加する。
【００４３】
また、第２ガイド部材３３が昇降ユニット４１によって第１ガイド部材３１側に下降すると、第２ガイド部材３３が下降した分だけ左及び右側面吐出口１６の有効面積が、第２ガイド部材３３が上昇した場合よりも相対的に大きくなり、下面吐出口１７から吐出される空気の風量は減少することになる。
【００４４】
すなわち、本発明では、昇降ユニット４１による第２ガイド部材３３の位置を調節することによって、左及び右側面吐出口１６と下面吐出口１７の吐出有効面積を調節することができる。
【図面の簡単な説明】
【００４５】
【図１】本発明による空気調和機を示す斜視図である。
【図２】本発明による空気調和機の一部を示す断面図である。
【図３】本発明による吐出ガイド装置を示す分解斜視図である。
【図４】図３に示す吐出ガイド装置の一実施例を説明するための図である。
【図５】図３に示す吐出ガイド装置の他の実施例を説明するための図である。
【符号の説明】
【００４６】
１０    本体
１１    キャビネット
１２    前面パネル
１６    左及び右側面吐出口
１７    下面吐出口
２１    熱交換器
２６    ターボファン
３０    吐出ガイド装置
３１    第１ガイド部材
３１ａ  傾斜面
３２    通穴
３３    第２ガイド部材
３３ａ  傾斜面
３５    第３ガイド部材
４１    昇降ユニット
４２    シリンダー
５２    ラックギア
５３    ピニオンギア
【図１】
2008122054.tif 000003
【図２】
2008122054.tif 000004
【図３】
2008122054.tif 000005
【図４】
2008122054.tif 000006
【図５】
2008122054.tif 000007